(57)【要約】【課題】消費電力を低減することができる画像処理装置を得る。【解決手段】本発明の画像処理装置は、撮像部により撮像された第１の生体画像に基づいて、識別データベースを用いて識別処理を行うことにより、第１の生体画像に対応する第１のユーザ識別子を取得し、撮像部により撮像された第２の生体画像に基づいて識別処理を行うことができない場合に、第２の生体画像に基づいて識別データベースを更新する識別部と、操作履歴と、第１のユーザ識別子を含む複数のユーザ識別子とがそれぞれ対応づけて記憶された履歴データベースを用いて、第１のユーザ識別子に基づいて、第１のユーザ識別子に対応する第１の操作履歴を取得する履歴管理部と、第１の操作履歴に基づいて動作モードを設定する制御部とを備える。【選択図】図２
2018201082.tif 000002
【特許請求の範囲】
【請求項１】
撮像部により撮像された第１の生体画像に基づいて、識別データベースを用いて識別処理を行うことにより、前記第１の生体画像に対応する第１のユーザ識別子を取得し、前記撮像部により撮像された第２の生体画像に基づいて前記識別処理を行うことができない場合に、前記第２の生体画像に基づいて前記識別データベースを更新する識別部と、
操作履歴と、前記第１のユーザ識別子を含む複数のユーザ識別子とがそれぞれ対応づけて記憶された履歴データベースを用いて、前記第１のユーザ識別子に基づいて、前記第１のユーザ識別子に対応する第１の操作履歴を取得する履歴管理部と、
前記第１の操作履歴に基づいて動作モードを設定する制御部と
を備えた画像処理装置。
【請求項２】
記録媒体に画像を形成する画像形成部と、
読取媒体から画像を読み取る画像読取部と
をさらに備え、
前記制御部は、さらに、前記動作モードに基づいて、前記画像形成部および前記画像読取部への電源供給をそれぞれ制御する
請求項１に記載の画像処理装置。
【請求項３】
前記撮像部をさらに備え、
前記制御部は、さらに、複数の動作モードのうちの１つを、前記動作モードとして設定し、前記動作モードに基づいて、前記撮像部への電源供給をも制御し、
前記複数の動作モードは、前記画像形成部および前記画像読取部への電源供給を停止するとともに、前記撮像部への電源供給を行う第１の動作モードを含み、
前記識別部は、前記第１の動作モードにおいて、前記第１の生体画像に基づいて前記第１のユーザ識別子を取得し、
前記履歴管理部は、前記第１のユーザ識別子に基づいて前記第１の操作履歴を取得し、
前記制御部は、前記第１の操作履歴に基づいて前記動作モードを設定する
請求項２に記載の画像処理装置。
【請求項４】
ユーザの前記画像処理装置への接近を検出するセンサをさらに備え、
前記制御部は、さらに、前記動作モードに基づいて、前記センサへの電源供給をも制御し、
前記複数の動作モードは、前記画像形成部、前記画像読取部、および前記撮像部への電源供給を停止するとともに、前記センサへの電源供給を行う第２の動作モードを含み、
前記第２の動作モードにおいて、前記制御部は、前記センサによる検出結果に基づいて、前記動作モードを前記第１の動作モードに設定する
請求項３に記載の画像処理装置。
【請求項５】
前記複数の動作モードは、
前記画像形成部および前記画像読取部のうちの前記画像読取部への電源供給を行う第３の動作モードと、
前記画像形成部および前記画像読取部のうちの前記画像形成部への電源供給を行う第４の動作モードと、
前記画像形成部および前記画像読取部への電源供給を行う第５の動作モードと
を含み、
前記制御部は、前記第１の動作モードにおいて、前記第１の操作履歴に基づいて、前記動作モードを、前記第３の動作モード、前記第４の動作モード、および前記第５の動作モードのうちのいずれか１つに設定する
請求項３または請求項４に記載の画像処理装置。
【請求項６】
ユーザの操作を受け付ける操作部をさらに備え、
前記制御部は、さらに、前記第３の動作モードおよび前記第４の動作モードにおいて、前記操作部からの指示に基づいて、前記動作モードを前記第５の動作モードに設定する
請求項５に記載の画像処理装置。
【請求項７】
前記識別部は、前記第２の生体画像に基づいて前記識別処理を行うことができない場合に、前記第２の生体画像および前記第２の生体画像に対応する第２のユーザ識別子に基づいて前記識別データベースを更新し、
前記履歴管理部は、前記識別部が前記識別データベースを更新した後に、前記履歴データベースに、前記第２のユーザ識別子に対応する第２の操作履歴を記憶させる
請求項１から請求項６のいずれか一項に記載の画像処理装置。
【請求項８】
前記撮像部により撮像された撮像画像は、前記第１の生体画像および第３の生体画像を含み、
前記識別部は、前記識別処理を行うことにより、前記第１の生体画像に基づいて前記第１の生体画像に対応する前記第１のユーザ識別子を取得するとともに、前記第３の生体画像に基づいて前記第３の生体画像に対応する第３のユーザ識別子を取得し、
前記履歴管理部は、前記第１のユーザ識別子に基づいて前記第１のユーザ識別子に対応する前記第１の操作履歴を取得するとともに、前記第３のユーザ識別子に基づいて前記第３のユーザ識別子に対応する第３の操作履歴を取得し、
前記制御部は、前記第１の操作履歴および前記第３の操作履歴に基づいて、前記動作モードを設定する
請求項１から請求項７のいずれか一項に記載の画像処理装置。
【請求項９】
識別部に、撮像部により撮像された第１の生体画像に基づいて、識別データベースを用いて識別処理を行わせることにより、前記第１の生体画像に対応する第１のユーザ識別子を取得させ、前記撮像部により撮像された第２の生体画像に基づいて前記識別処理を行うことができない場合に、前記第２の生体画像に基づいて前記識別データベースを更新させ、
履歴管理部に、操作履歴と、前記第１のユーザ識別子を含む複数のユーザ識別子とがそれぞれ対応づけて記憶された履歴データベースを用いて、前記第１のユーザ識別子に基づいて、前記第１のユーザ識別子に対応する第１の操作履歴を取得させ、
制御部に、第１の操作履歴に基づいて動作モードを設定させる
画像処理方法。
【発明の詳細な説明】
【技術分野】
【０００１】
本発明は、画像を処理する画像処理装置、およびそのような画像処理装置において用いられる画像処理方法に関する。
【背景技術】
【０００２】
画像処理装置には、画像処理装置内における電力供給を制御するものがある。例えば、特許文献１には、情報処理装置から送信された省電力解除コマンドに基づいて、印刷部に電力を供給することにより、省電力状態から印刷可能状態に動作状態が変化する画像形成装置が開示されている。
【先行技術文献】
【特許文献】
【０００３】
【特許文献１】特開２０１４−２０６８７号公報
【発明の概要】
【発明が解決しようとする課題】
【０００４】
電子機器では、一般に消費電力の低減が望まれており、画像処理装置においても、消費電力の低減が期待されている。
【０００５】
消費電力を低減することができる画像処理装置および画像処理方法を提供することが望ましい。
【課題を解決するための手段】
【０００６】
本発明の一実施の形態における画像処理装置は、識別部と、履歴管理部と、制御部とを備えている。識別部は、撮像部により撮像された第１の生体画像に基づいて、識別データベースを用いて識別処理を行うことにより、第１の生体画像に対応する第１のユーザ識別子を取得し、撮像部により撮像された第２の生体画像に基づいて識別処理を行うことができない場合に、第２の生体画像に基づいて識別データベースを更新するものである。履歴管理部は、操作履歴と、第１のユーザ識別子を含む複数のユーザ識別子とがそれぞれ対応づけて記憶された履歴データベースを用いて、第１のユーザ識別子に基づいて、第１のユーザ識別子に対応する第１の操作履歴を取得するものである。制御部は、第１の操作履歴に基づいて動作モードを設定するものである。
【０００７】
本発明の一実施の形態における画像処理方法は、識別部に、撮像部により撮像された第１の生体画像に基づいて、識別データベースを用いて識別処理を行わせることにより、第１の生体画像に対応する第１のユーザ識別子を取得させ、撮像部により撮像された第２の生体画像に基づいて識別処理を行うことができない場合に、第２の生体画像に基づいて識別データベースを更新させ、履歴管理部に、操作履歴と、第１のユーザ識別子を含む複数のユーザ識別子とがそれぞれ対応づけて記憶された履歴データベースを用いて、第１のユーザ識別子に基づいて、第１のユーザ識別子に対応する第１の操作履歴を取得させ、制御部に、第１の操作履歴に基づいて動作モードを設定させるものである。
【発明の効果】
【０００８】
本発明の一実施の形態における画像処理装置および画像処理方法によれば、第１の生体画像に基づいて第１のユーザ識別子を取得し、前記第１のユーザ識別子に基づいて第１の操作履歴を取得し、前記第１の操作履歴に基づいて動作モードを設定したので、消費電力を低減することができる。
【図面の簡単な説明】
【０００９】
【図１】一実施の形態に係る画像処理装置の一構成例を表す構成図である。
【図２】図１に示した画像処理装置の制御機構の一構成例を表すブロック図である。
【図３】図２に示した履歴データベースにおける操作履歴の一例を表す表である。
【図４】図１に示した画像処理装置における電源供給動作の一例を表す表である。
【図５】図１に示した画像処理装置における実行可能な処理の一例を表す表である。
【図６Ａ】図１に示した画像処理装置における一動作例を表すフローチャートである。
【図６Ｂ】図１に示した画像処理装置における一動作例を表す他のフローチャートである。
【図７】図６Ａ，６Ｂに示したユーザ識別処理の一動作例を表すフローチャートである。
【図８】図６Ａに示した操作履歴更新処理の一動作例を表すフローチャートである。
【図９】図６Ａに示した操作履歴更新処理の一動作例を表す表である。
【図１０】図６Ｂに示した動作モード選択処理の一動作例を表すフローチャートである。
【発明を実施するための形態】
【００１０】
以下、本発明の実施の形態について、図面を参照して詳細に説明する。
【００１１】
［構成例］
図１は、本発明の一実施の形態に係る画像処理装置（画像処理装置１）の一構成例を表すものである。この画像処理装置１は、ユーザの「生体画像」（この例では顔画像）に基づいてユーザを識別し、そのユーザの操作履歴に基づいて、動作モードを設定するものである。なお、本発明の実施の形態に係る画像処理方法は、本実施の形態により具現化されるので、併せて説明する。
【００１２】
画像処理装置１は、画像読取部１０と、画像形成部２０と、操作パネル３１と、人感センサ３２と、撮像部３３とを備えている。
【００１３】
画像読取部１０は、紙などの読取媒体ＭＲに印刷された画像を読み取るものである。この例では、画像読取部１０は、ＡＤＦ（Auto Document Feeder）を有している。これにより、画像読取部１０では、複数の読取媒体ＭＲに印刷された画像を容易に読み取ることができる。また、画像読取部１０では、ユーザが読取媒体ＭＲを画像読取部１０の読取面にセットすることにより、いわゆるフラットベッドスキャナとしても機能するようになっている。
【００１４】
画像形成部２０は、紙などの記録媒体ＭＰに画像を形成するものである。この例では画像形成部２０は、電子写真方式により画像を形成するようになっている。画像形成部２０は、媒体収容部２１と、ピックアップローラ２２と、４つの感光ドラムユニット２３（感光ドラムユニット２３Ｋ，２３Ｙ，２３Ｍ，２３Ｃ）と、４つの転写ローラ２４（転写ローラ２４Ｋ，２４Ｙ，２４Ｍ，２４Ｃ）と、定着部２５とを有している。媒体収容部２１は、記録媒体ＭＰを収容するものである。ピックアップローラ２２は、媒体収容部２１に収納されている記録媒体ＭＰをその最上部から１枚ずつ取り出し、取り出した記録媒体ＭＰを搬送路２９に送り出す部材である。感光ドラムユニット２３Ｋは、黒色のトナー像を形成するものであり、転写ローラ２４Ｋは、感光ドラムユニット２３Ｋにより生成されたトナー像を記録媒体ＭＰに転写するものである。感光ドラムユニット２３Ｙは、黄色のトナー像を形成するものであり、転写ローラ２４Ｙは、感光ドラムユニット２３Ｙにより生成されたトナー像を記録媒体ＭＰに転写するものである。感光ドラムユニット２３Ｍは、マゼンタ色のトナー像を形成するものであり、転写ローラ２４Ｍは、感光ドラムユニット２３Ｍにより生成されたトナー像を記録媒体ＭＰに転写するものである。感光ドラムユニット２３Ｃは、シアン色のトナー像を形成するものであり、転写ローラ２４Ｃは、感光ドラムユニット２３Ｃにより生成されたトナー像を記録媒体ＭＰに転写するものである。定着部２５は、記録媒体ＭＰに対し熱および圧力を付与することにより、記録媒体ＭＰに転写されたトナー像を記録媒体ＭＰに定着させるものである。そして、トナー像が定着された記録媒体ＭＰは、画像形成部２０の外部に排出されるようになっている。
【００１５】
操作パネル３１は、ユーザの操作を受け付けるとともに、画像処理装置１の動作状態などを表示するものであり、例えば、液晶ディスプレイ、タッチパネル、各種ボタンなどを用いて構成されるものである。人感センサ３２は、ユーザの接近を検出するものであり、例えば赤外線センサなどを用いて構成されるものである。撮像部３３は、操作しているユーザの顔を撮像するものであり、例えばＣＭＯＳ（Complementary Metal Oxide Semiconductor）イメージセンサなどを用いて構成されるものである。
【００１６】
図２は、画像処理装置１における制御機構の一例を表すものである。画像処理装置１は、ネットワーク通信部４１と、ＦＡＸ通信部４２と、ユーザ識別部４３と、操作履歴管理部４５と、制御部４７とを備えている。
【００１７】
ネットワーク通信部４１は、ネットワーク通信を行うものであり、例えば、有線ＬＡＮ（Local Area Network）などにより構成されるネットワークを介してパーソナルコンピュータ（図示せず）に接続されている。ネットワーク通信部４１は、例えばこのパーソナルコンピュータと通信を行うことにより、パーソナルコンピュータから送信された印刷データＤＰを受信するようになっている。
【００１８】
ＦＡＸ通信部４２は、電話回線を介して通信相手との間でＦＡＸデータを送受信するものである。
【００１９】
ユーザ識別部４３は、撮像部３３により撮像された撮像画像に基づいて、操作しているユーザの顔画像ＰＦを取得し、この顔画像ＰＦに基づいて、ユーザを識別するものである。ユーザ識別部４３は、ユーザデータベース４４を有している。ユーザデータベース４４は、ユーザの顔画像ＰＦを識別するための情報（顔画像情報ＩＮＦ）が、そのユーザのユーザ識別子ＩＤに対応づけてそれぞれ登録されたものである。この構成により、ユーザ識別部４３は、撮像部３３により撮像された顔画像ＰＦに基づいて、このユーザデータベース４４を用いて、ユーザを識別し、その顔画像ＰＦに対応するユーザ識別子ＩＤを取得するようになっている。
【００２０】
また、ユーザ識別部４３は、このユーザデータベース４４を用いて、撮像部３３により撮像された顔画像ＰＦに基づいてユーザを識別することができなかった場合には、その顔画像ＰＦに基づいてユーザデータベース４４を更新する機能をも有している。具体的には、ユーザ識別部４３は、撮像部３３により撮像された顔画像ＰＦに基づいて顔画像情報ＩＮＦを生成し、この顔画像情報ＩＮＦを、新たに割り当てたユーザ識別子ＩＤに対応づけてユーザデータベース４４に登録する。このようにして、ユーザ識別部４３は、操作しているユーザがユーザデータベース４４に登録されていない場合には、そのユーザを自動的に登録するようになっている。
【００２１】
操作履歴管理部４５は、ユーザの操作履歴を管理するものである。操作履歴管理部４５は、履歴データベース４６を有している。履歴データベース４６は、ユーザ識別子ＩＤごとに、操作履歴を記憶するものである。
【００２２】
図３は、履歴データベース４６の一例を表すものである。履歴データベース４６は、ユーザ識別子ＩＤごとに、操作履歴（プリント回数ＣＰおよびスキャン回数ＣＳ）を記憶している。プリント回数ＣＰは、画像処理装置１におけるプリント機能を利用した回数であり、スキャン回数ＣＳは、画像処理装置１におけるスキャン機能を利用した回数である。言い換えれば、プリント回数ＣＰは、画像形成部２０を使用したジョブの数を示し、スキャン回数ＣＳは、画像読取部１０を使用したジョブの数を示す。
【００２３】
この構成により、操作履歴管理部４５は、ユーザの操作に基づいて、そのユーザのユーザ識別子ＩＤに対応するプリント回数ＣＰおよびスキャン回数ＣＳを更新することにより、履歴データベース４６を更新する。また、操作履歴管理部４５は、ユーザ識別子ＩＤに基づいて、そのユーザ識別子ＩＤに対応するプリント回数ＣＰおよびスキャン回数ＣＳを取得する機能をも有している。
【００２４】
制御部４７は、画像処理装置１内の各ブロックの動作を制御することにより、画像処理装置１の全体動作を制御するものである。制御部４７は、例えば、プログラムを実行可能なプロセッサを用いて構成されるものである。
【００２５】
制御部４７は、動作モード制御部４８を有している。動作モード制御部４８は、画像処理装置１の動作モードＭを設定するものである。画像処理装置１は、５つの動作モードＭ（スリープモードＭ１、ユーザ接近モードＭ２、スキャンモードＭ３、プリントモードＭ４、および完全動作モードＭ５）を有しており、動作モード制御部４８は、この５つの動作モードＭのうちの１つを、動作モードＭとして設定する。そして、動作モード制御部４８は、設定した動作モードＭに基づいて、画像処理装置１内の各ブロックへの電源供給をそれぞれ制御するようになっている。
【００２６】
図４は、動作モードＭのそれぞれにおける電源供給動作の一例を表すものである。図４において、“○”は、電源供給を行うことを示し、“−”は、電源供給を行わないことを示す。
【００２７】
図５は、動作モードＭのそれぞれにおいて実行することができる処理の一例を表すものである。図５において、“○”は、処理を実行することができることを示し、“−”は、処理を実行することができないことを示す。また、“コピー処理”は、例えば、画像読取部１０が読取媒体ＭＲに印刷された画像を読み取り、読み取った画像を画像形成部２０が記録媒体ＭＰに形成する処理である。“スキャン処理”は、例えば、画像読取部１０が読取媒体ＭＲに印刷された画像を読み取り、読み取った画像をネットワーク通信部４１が例えばパーソナルコンピュータに送信する処理である。なお、これに限定されるものではなく、“スキャン処理”は、例えば、画像読取部１０が読取媒体ＭＲに印刷された画像を読み取り、読み取った画像を画像処理装置１内に記憶する処理であってもよい。“プリント処理”は、例えば、ネットワーク通信部１１が印刷データＤＰを受信し、その印刷データＤＰに含まれる画像を画像形成部２０が記録媒体ＭＰに形成する処理である。なお、これに限定されるものではなく、“プリント処理”は、例えば、ユーザが操作パネル３１を操作することにより、事前に画像処理装置１内に記憶された印刷データＤＰに含まれる画像を、画像形成部２０が記録媒体ＭＰに形成する処理であってもよい。“ＦＡＸ送信処理”は、例えば、画像読取部１０が読取媒体ＭＲに印刷された画像を読み取り、読み取った画像を含むＦＡＸデータをＦＡＸ通信部４２が送信する処理である。“ＦＡＸ受信処理”は、例えば、ＦＡＸ通信部４２がＦＡＸデータを受信し、そのＦＡＸデータに含まれる画像を画像形成部２０が記録媒体ＭＰに形成する処理である。
【００２８】
スリープモードＭ１は、処理に備えて待機しているときに設定される動作モードＭである。このスリープモードＭ１では、人感センサ３２、ＦＡＸ通信部４２、およびネットワーク通信部４１に対して電源供給が行われる。画像処理装置１は、人感センサ３２に電源供給を行うことにより、ユーザの接近を検出することができる。画像処理装置１は、ネットワーク通信部４１に電源供給を行うことにより印刷データＤＰを受け付けることができる。また、画像処理装置１は、ＦＡＸ通信部４２に電源供給を行うことによりＦＡＸデータを受け付けることができる。
【００２９】
ユーザ接近モードＭ２は、ユーザが画像処理装置１に接近しているときに設定される動作モードＭである。このユーザ接近モードＭ２では、撮像部３３、ＦＡＸ通信部４２、およびネットワーク通信部４１に対して電源供給が行われる。画像処理装置１は、撮像部３３に電源供給を行うことにより、ユーザの顔を撮像することができる。これにより、画像処理装置１は、顔画像ＰＦに基づいて操作しているユーザを識別し、そのユーザの操作履歴に基づいて、画像処理装置１の動作モードＭを設定することができる。
【００３０】
スキャンモードＭ３は、プリント機能を使用せずにスキャン機能を使用する場合や、プリント機能を使用せずにスキャン機能を使用すると推定される場合に設定される動作モードＭである。このスキャンモードＭ３では、撮像部３３、操作パネル３１、画像読取部１０、ＦＡＸ通信部４２、およびネットワーク通信部４１に対して電源供給が行われる。これにより、画像処理装置１は、このスキャンモードＭ３では、図５に示したように、“スキャン処理”および“ＦＡＸ送信処理”を行うことができるようになっている。
【００３１】
プリントモードＭ４は、スキャン機能を使用せずにプリント機能を使用する場合や、スキャン機能を使用せずにプリント機能を使用すると推定される場合に設定される動作モードＭである。このプリントモードＭ４では、撮像部３３、操作パネル３１、画像形成部２０、ＦＡＸ通信部４２、およびネットワーク通信部４１に対して電源供給が行われる。これにより、画像処理装置１は、このプリントモードＭ４では、図５に示したように、“プリント処理”および“ＦＡＸ受信処理”を行うことができるようになっている。
【００３２】
完全動作モードＭ５は、スキャン機能およびプリント機能の両方を使用する場合や、スキャン機能およびプリント機能の両方を使用すると推定される場合に設定される動作モードＭである。この完全動作モードＭ５では、撮像部３３、操作パネル３１、画像読取部１０、画像形成部２０、ＦＡＸ通信部４２、およびネットワーク通信部４１に対して電源供給が行われる。これにより、画像処理装置１は、この完全動作モードＭ５では、図５に示したように、“コピー処理”、“スキャン処理”、“プリント処理”、“ＦＡＸ送信処理”、および“ＦＡＸ受信処理”を行うことができるようになっている。
【００３３】
動作モード制御部４８は、この５つの動作モードＭのうちの１つを動作モードＭとして設定する。そして、動作モード制御部４８は、設定した動作モードＭに基づいて、図４に示したように、画像処理装置１内の各ブロックへの電源供給をそれぞれ制御するようになっている。
【００３４】
ここで、ユーザ識別部４３は、本発明における「識別部」の一具体例に対応する。顔画像ＰＦは、本発明における「生体画像」の一具体例に対応する。ユーザデータベース４４は、本発明における「識別データベース」の一具体例に対応する。操作履歴管理部４６は、本発明における「履歴管理部」の一具体例に対応する。履歴データベース４６は、本発明における「履歴データベース」の一具体例に対応する。動作モード制御部４８は、本発明における「制御部」の一具体例に対応する。人感センサ３２は、本発明における「センサ」の一具体例に対応する。操作パネル３１は、本発明における「操作部」の一具体例に対応する。ユーザ接近モードＭ２は、本発明における「第１の動作モード」の一具体例に対応する。スリープモードＭ１は、本発明における「第２の動作モード」の一具体例に対応する。スキャンモードＭ３は、本発明における「第３の動作モード」の一具体例に対応する。プリントモードＭ４は、本発明における「第４の動作モード」の一具体例に対応する。完全動作モードＭ５は、本発明における「第５の動作モード」の一具体例に対応する。
【００３５】
［動作および作用］
続いて、本実施の形態の画像処理装置１の動作および作用について説明する。
【００３６】
（全体動作概要）
まず、図２を参照して、画像処理装置１の全体動作概要を説明する。ネットワーク通信部４１は、ネットワーク通信を行うことにより、例えば、パーソナルコンピュータ（図示せず）から送信された印刷データＤＰを受信する。ＦＡＸ通信部４２は、電話回線を介して通信相手との間でＦＡＸデータを送受信する。操作パネル３１は、ユーザの操作を受け付けるとともに、画像処理装置１の動作状態などを表示する。人感センサ３２は、ユーザの接近を検出する。撮像部３３は、操作しているユーザの顔を撮像する。画像読取部１０は、紙などの読取媒体ＭＲに印刷された画像を読み取る。画像形成部２０は、紙などの記録媒体ＭＰに画像を形成する。ユーザ識別部４３は、ユーザデータベース４４を用いて、撮像部３３により撮像された顔画像ＰＦに対応するユーザ識別子ＩＤを取得する。また、ユーザ識別部４３は、ユーザデータベース４４を用いて、撮像部３３により撮像された顔画像ＰＦに基づいてユーザを識別することができなかった場合には、その顔画像ＰＦに基づいてユーザデータベース４４を更新する。操作履歴管理部４５は、ユーザの操作に基づいて、そのユーザのユーザ識別子ＩＤに対応するプリント回数ＣＰおよびスキャン回数ＣＳを更新することにより、履歴データベース４６を更新する。また、操作履歴管理部４５は、ユーザ識別子ＩＤに基づいて、そのユーザ識別子ＩＤに対応するプリント回数ＣＰおよびスキャン回数ＣＳを取得する。制御部４７は、画像処理装置１内の各ブロックの動作を制御することにより、画像処理装置１の全体動作を制御する。制御部４７の動作モード制御部４８は、画像処理装置１の動作モードＭを設定し、設定した動作モードＭに基づいて、画像処理装置１内の各ブロックへの電源供給をそれぞれ制御する。
【００３７】
（詳細動作）
図６Ａ，６Ｂは、画像処理装置１の詳細動作を表すものである。
【００３８】
まず、制御部４７は、ユーザによる電源投入を検出すると（ステップＳ１０１）、動作モード制御部４８は、動作モードＭを完全動作モードＭ５に設定する（ステップＳ１０２）。これにより、動作モード制御部４８は、図４に示したように、撮像部３３、操作パネル３１、画像読取部１０、画像形成部２０、ＦＡＸ通信部４２、およびネットワーク通信部４１に対して電源供給を行うように、画像処理装置１を制御する。
【００３９】
次に、動作モード制御部４８は、画像処理装置１の装置状態を監視する（ステップＳ１０３）。
【００４０】
ステップＳ１０３において、ユーザが操作パネル３１を操作することにより処理を指示した場合（ステップＳ１０３において“パネル操作により処理を指示”）には、ユーザ識別部４３は、ユーザ識別処理Ａ１を行う（ステップＳ１０４）。
【００４１】
図７は、ユーザ識別処理Ａ１のサブルーチンを表すものである。
【００４２】
まず、ユーザ識別部４３は、撮像部３３が撮像した撮像画像に基づいて、操作しているユーザの顔画像ＰＦを取得する（ステップＳ１７１）。
【００４３】
次に、ユーザ識別部４３は、ステップＳ１７１において取得した顔画像ＰＦに基づいて、ユーザデータベース４４を用いて、ユーザを識別する（ステップＳ１７２）。
【００４４】
ユーザの識別に成功した場合（ステップＳ１７３において“Ｙ”）には、ユーザ識別部４３は、ユーザデータベース４４から、この顔画像ＰＦに対応するユーザ識別子ＩＤを取得する（ステップＳ１７４）。
【００４５】
また、ユーザの識別に失敗した場合（ステップＳ１７３において“Ｎ”）には、ユーザ識別部４３は、この顔画像ＰＦに基づいて顔画像情報ＩＮＦを生成し、この顔画像情報ＩＮＦを、新たに割り当てたユーザ識別子ＩＤに対応づけてユーザデータベース４４に登録することにより、ユーザデータベース４４を更新する（ステップＳ１７５）。すなわち、操作しているユーザはユーザデータベース４４に登録されていないため、このユーザをユーザデータベース４４に登録する。そして、ユーザ識別部４３は、この顔画像ＰＦに対応する、新たに割り当てたユーザ識別子ＩＤを取得する（ステップＳ１７６）。
【００４６】
以上で、ユーザ識別処理Ａ１のサブルーチン（図７）は終了する。
【００４７】
次に、図６Ａに示したように、動作モード制御部４８は、現在の動作モードＭで、ステップＳ１０３においてパネル操作により指示された処理を実行可能かどうかを確認する（ステップＳ１０５）。すなわち、例えば、図５に示したように、現在の動作モードＭがプリントモードＭ４であり、指示された処理が“プリント処理”である場合には、処理を実行可能である。また、例えば、現在の動作モードＭがプリントモードＭ４であり、指示された処理が“コピー処理”である場合には、処理を実行することができない。現在の動作モードＭで、指示された処理を実行可能である場合（ステップＳ１０５において“Ｙ”）には、ステップＳ１０７に進む。
【００４８】
ステップＳ１０５において、現在の動作モードＭで、指示された処理を実行することができない場合（ステップＳ１０５において“Ｎ”）には、動作モード制御部４８は、動作モードＭを完全動作モードＭ５に設定する（ステップＳ１０６）。これにより、動作モード制御部４８は、図４に示したように、撮像部３３、操作パネル３１、画像読取部１０、画像形成部２０、ＦＡＸ通信部４２、およびネットワーク通信部４１に対して電源供給を行うように、画像処理装置１を制御する。
【００４９】
次に、画像処理装置１は、ステップＳ１０３においてパネル操作により指示された処理を実行する（ステップＳ１０７）。具体的には、指示された処理が“コピー処理”である場合には、画像処理装置１は“コピー処理”を行い、指示された処理が“スキャン処理”である場合には、画像処理装置１は“スキャン処理”を行い、指示された処理が“プリント処理”である場合には、画像処理装置１は“プリント処理”を行い、指示された処理が“ＦＡＸ送信処理”である場合には、画像処理装置１は“ＦＡＸ送信処理”を行う。
【００５０】
次に、操作履歴管理部４５は、操作履歴更新処理Ａ２を行う（ステップＳ１０８）。
【００５１】
図８は、操作履歴更新処理Ａ２のサブルーチンを表すものである。
【００５２】
まず、操作履歴管理部４５は、ステップＳ１０３（図６Ａ）においてパネル操作により指示された処理が、プリント機能を利用するものであるかどうかを確認する（ステップＳ１８１）。図９に示したように、パネル操作により指示された処理が、“プリント処理”および“コピー処理”である場合には、その処理は、プリント機能を利用するものである。パネル操作により指示された処理が、プリント機能を利用するものではない場合（ステップＳ１８１において“Ｎ”）には、ステップＳ１８３に進む。
【００５３】
ステップＳ１８１において、パネル操作により指示された処理が、プリント機能を利用するものである場合（ステップＳ１８１において“Ｙ”）には、操作履歴管理部４５は、履歴データベース４６において、ステップＳ１０４において取得した、操作しているユーザのユーザ識別子ＩＤに対応するプリント回数ＣＰをインクリメントすることにより、履歴データベース４６を更新する（ステップＳ１８２）。
【００５４】
次に、操作履歴管理部４５は、ステップＳ１０３（図６Ａ）においてパネル操作により指示された処理が、スキャン機能を利用するものであるかどうかを確認する（ステップＳ１８３）。図９に示したように、パネル操作により指示された処理が、“スキャン処理”、“ＦＡＸ送信処理”、および“コピー処理”であった場合には、その処理は、スキャン機能を利用するものである。パネル操作により指示された処理が、スキャン機能を利用するものではない場合（ステップＳ１８３において“Ｎ”）には、この操作履歴更新処理Ａ２のサブルーチン（図８）は終了する。
【００５５】
ステップＳ１８３において、パネル操作により指示された処理が、スキャン機能を利用するものである場合（ステップＳ１８３において“Ｙ”）には、操作履歴管理部４５は、履歴データベース４６において、ステップＳ１０４において取得した、操作しているユーザのユーザ識別子ＩＤに対応するスキャン回数ＣＳをインクリメントすることにより、履歴データベース４６を更新する（ステップＳ１８４）。
【００５６】
以上で、操作履歴更新処理Ａ２のサブルーチン（図８）は終了する。
【００５７】
図６Ａに示したように、このようにして操作履歴更新処理Ａ２（ステップＳ１０８）が終了すると、ステップＳ１０３に戻る。
【００５８】
ステップＳ１０３において、ＦＡＸ通信部４２がＦＡＸデータを受信した場合、またはネットワーク通信部４１が印刷データＤＰを受信した場合（ステップＳ１０３において“ＦＡＸデータ受信または印刷データ受信”）には、動作モード制御部４８は、動作モードＭをプリントモードＭ４に設定する（ステップＳ１１１）。これにより、動作モード制御部４８は、図４に示したように、撮像部３３、操作パネル３１、画像形成部２０、ＦＡＸ通信部４２、およびネットワーク通信部４１に対して電源供給を行うように、画像処理装置１を制御する。
【００５９】
そして、画像処理装置１は、処理を実行する（ステップＳ１１２）。具体的には、ＦＡＸ通信部４２がＦＡＸデータを受信した場合には、画像処理装置１は“ＦＡＸ受信処理”を行い、ネットワーク通信部４１が印刷データＤＰを受信した場合には、画像処理装置１は“プリント処理”を行う。
【００６０】
そして、ステップＳ１０３に戻る。
【００６１】
ステップＳ１０３において、ユーザによる操作パネル３１の操作が所定時間にわたり無かった場合（ステップＳ１０３において“所定時間パネル操作なし”）には、動作モード制御部４８は、動作モードＭをスリープモードＭ１に設定する（ステップＳ１２１）。これにより、動作モード制御部４８は、図５に示したように、人感センサ３２、ＦＡＸ通信部４２、およびネットワーク通信部４１に対して電源供給を行うように、画像処理装置１を制御する。
【００６２】
次に、図６Ｂに示したように、動作モード制御部４８は、画像処理装置１の装置状態を監視する（ステップＳ１２２）。
【００６３】
ステップＳ１２２において、人感センサ３２がユーザの接近を検出した場合（ステップＳ１２２において“ユーザの接近を検出”）には、動作モード制御部４８は、動作モードＭをユーザ接近モードＭ２に設定する（ステップＳ１２３）。これにより、動作モード制御部４８は、図４に示したように、撮像部３３、ＦＡＸ通信部４２、およびネットワーク通信部４１に対して電源供給を行うように、画像処理装置１を制御する。
【００６４】
次に、ユーザ識別部４３は、ユーザ識別処理Ａ１を行う（ステップＳ１２４）。この処理は、図６Ａに示したステップＳ１０４において行った処理（図７）と同様である。
【００６５】
次に、動作モード制御部４８は、動作モード選択処理Ａ３を行う（ステップＳ１２５）。
【００６６】
図１０は、動作モード選択処理Ａ３のサブルーチンを表すものである。
【００６７】
まず、操作履歴管理部４５は、履歴データベース４６から、ステップＳ１２４（図６Ｂ）において取得した、操作しているユーザのユーザ識別子ＩＤに対応する操作履歴を取得する（ステップＳ１９１）。操作履歴の取得に失敗した場合（ステップＳ１９２において“Ｎ”）には、この動作モード選択処理Ａ３のサブルーチン（図１０）は終了する。
【００６８】
操作履歴の取得に成功した場合（ステップＳ１９２において“Ｙ”）には、動作モード制御部４８は、その操作履歴に含まれるスキャン回数ＣＳおよびプリント回数ＣＰの大小関係を確認する（ステップＳ１９３）。
【００６９】
ステップＳ１９３において、スキャン回数ＣＳがプリント回数ＣＰよりも多い場合（ステップＳ１９３において“スキャン回数ＣＳ＞プリント回数ＣＰ”）には、動作モード制御部４８は、スキャンモードＭ３を選択する（ステップＳ１９４）。図３の例では、例えば、ユーザ識別子ＩＤが“０００００００１”である場合、およびユーザ識別子ＩＤが“０００００００３”である場合に、スキャンモードＭ３が選択される。すなわち、この場合には、操作しているユーザは、“スキャン処理”や“ＦＡＸ送信処理”を指示する可能性が高いので、動作モード制御部４８は、スキャンモードＭ３を選択する。
【００７０】
また、ステップＳ１９３において、スキャン回数ＣＳがプリント回数ＣＰよりも少ない場合（ステップＳ１９３において“スキャン回数ＣＳ＜プリント回数ＣＰ”）には、動作モード制御部４８は、プリントモードＭ４を選択する（ステップＳ１９５）。図３の例では、例えば、ユーザ識別子ＩＤが“０００００００２”である場合、およびユーザ識別子ＩＤが“０００００００４”である場合に、プリントモードＭ４が選択される。すなわち、この場合には、操作しているユーザは、“プリント処理”を指示する可能性が高いので、動作モード制御部４８は、プリントモードＭ４を選択する。
【００７１】
また、ステップＳ１９３において、スキャン回数ＣＳがプリント回数ＣＰと等しい場合（ステップＳ１９３において“スキャン回数ＣＳ＝プリント回数ＣＰ”）には、動作モード制御部４８は、完全動作モードＭ５を選択する（ステップＳ１９６）。図３の例では、例えば、ユーザ識別子ＩＤが“０００００００５”である場合に、完全動作モードＭ５が選択される。
【００７２】
以上で、動作モード選択処理Ａ３のサブルーチン（図１０）は終了する。
【００７３】
そして、図６Ｂに示したように、動作モード選択処理Ａ３（ステップＳ１２５）により選択された動作モードＭが完全動作モードＭ５である場合（ステップＳ１２６において“完全動作モードＭ５”）には、動作モード制御部４８は、動作モードＭを完全動作モードＭ５に設定する（ステップＳ１２７）。これにより、動作モード制御部４８は、図４に示したように、撮像部３３、操作パネル３１、画像読取部１０、画像形成部２０、ＦＡＸ通信部４２、およびネットワーク通信部４１に対して電源供給を行うように、画像処理装置１を制御する。
【００７４】
また、動作モード選択処理Ａ３（ステップＳ１２５）により選択された動作モードＭがスキャンモードＭ３である場合（ステップＳ１２６において“スキャンモードＭ３”）には、動作モード制御部４８は、動作モードＭをスキャンモードＭ３に設定する（ステップＳ１２８）。これにより、動作モード制御部４８は、図４に示したように、撮像部３３、操作パネル３１、画像読取部１０、ＦＡＸ通信部４２、およびネットワーク通信部４１に対して電源供給を行うように、画像処理装置１を制御する。
【００７５】
また、動作モード選択処理Ａ３（ステップＳ１２５）により選択された動作モードＭがプリントモードＭ４である場合（ステップＳ１２６において“プリントモードＭ４”）には、動作モード制御部４８は、動作モードＭをプリントモードＭ４に設定する（ステップＳ１２９）。これにより、動作モード制御部４８は、図４に示したように、撮像部３３、操作パネル３１、画像形成部２０、ＦＡＸ通信部４２、およびネットワーク通信部４１に対して電源供給を行うように、画像処理装置１を制御する。
【００７６】
そして、ステップＳ１０３（図６Ａ）に戻る。
【００７７】
また、ステップＳ１２２において、操作パネル３１がパネル操作を検出した場合（ステップＳ１２２において“パネル操作を検出”）には、ステップＳ１２７に進む。
【００７８】
また、ステップＳ１２２において、ＦＡＸ通信部４２がＦＡＸデータを受信した場合、またはネットワーク通信部４１が印刷データＤＰを受信した場合（ステップＳ１２２において“ＦＡＸデータ受信または印刷データ受信”）には、動作モード制御部４８は、動作モードＭをプリントモードＭ４に設定する（ステップＳ１３１）。これにより、動作モード制御部４８は、図４に示したように、撮像部３３、操作パネル３１、画像形成部２０、ＦＡＸ通信部４２、およびネットワーク通信部４１に対して電源供給を行うように、画像処理装置１を制御する。
【００７９】
そして、画像処理装置１は、処理を実行する（ステップＳ１３２）。具体的には、ＦＡＸ通信部４２がＦＡＸデータを受信した場合には、画像処理装置１は“ＦＡＸ受信処理”を行い、ネットワーク通信部４１が印刷データＤＰを受信した場合には、画像処理装置１は“プリント処理”を行う。
【００８０】
そして、ステップＳ１０３（図６Ａ）に戻る。
【００８１】
以上のように、画像処理装置１では、ユーザの操作履歴（プリント回数ＣＰおよびスキャン回数ＣＳ）に基づいて、動作モードＭを設定するようにした。具体的には、例えば、ユーザの操作履歴において、スキャン回数ＣＳがプリント回数ＣＰよりも多い場合には、動作モード制御部４８は、そのユーザが、“スキャン処理”や“ＦＡＸ送信処理”を指示する可能性が高いと判断し、動作モードＭをスキャンモードＭ３に設定する。これにより、画像処理装置１では、図４に示したように、例えば画像形成部２０への電源供給が停止される。また、例えば、ユーザの操作履歴において、プリント回数ＣＰがスキャン回数ＣＳよりも多い場合には、動作モード制御部４８は、そのユーザが、“プリント処理”を指示する可能性が高いと判断し、動作モード制御部４８は、動作モードＭをプリントモードＭ４に設定する。これにより、画像処理装置１では、図４に示したように、例えば、画像読取部１０への電源供給が停止される。このように、画像処理装置１では、ユーザの操作履歴に基づいて、動作モードＭを設定するようにしたので、使用しないことが推定されるブロックへの電源供給を停止することができるため、効果的に消費電力を低減することができる。
【００８２】
また、画像処理装置１では、このように、ユーザの操作履歴に基づいて動作モードＭを設定するようにしたので、操作しているユーザの操作履歴に基づいて、そのユーザが指示するであろう処理を推定して動作モードＭを設定することができる。その結果、画像処理装置１では、処理を開始するまでの時間を短くすることができる。すなわち、例えば、ユーザの操作に基づいて動作モードＭを設定する場合には、ユーザが操作してから、各ブロックへの電源供給を開始するため、処理を開始するまでに時間がかかるおそれがある。一方、画像処理装置１では、ユーザが指示するであろう処理を推定して動作モードＭを設定したので、その推定が正しい場合には、ユーザの操作に応じてすぐに処理を開始することができる。その結果、画像処理装置１では、ユーザの利便性を高めることができる。
【００８３】
また、画像処理装置１では、ユーザ識別部４３は、ユーザデータベース４４を用いて、撮像部３３により撮像された顔画像ＰＦに基づいてユーザを識別することができなかった場合には、その顔画像ＰＦに基づいてユーザデータベース４４を更新するようにした。これにより、画像処理装置１では、ユーザが、例えば顔画像ＰＦを登録する作業や、顔画像ＰＦをアカウントに関連づける作業を行う必要がないので、ユーザの手間が省けるので、ユーザの利便性を高めることができる。
【００８４】
このように、画像処理装置１では、自動的に顔画像ＰＦを収集し、その顔画像ＰＦに基づいてユーザデータベース４４を更新する。そして、ユーザデータベース４４を用いてユーザを識別し、識別されたユーザの操作履歴を記録する。そして、顔画像ＰＦおよび操作履歴に基づいて、動作モードＭを設定する。これにより、画像処理装置１では、ユーザの利便性を高めることができるとともに、効果的に消費電力を低減することができる。
【００８５】
［効果］
以上のように本実施の形態では、ユーザの操作履歴に基づいて、動作モードを設定するようにしたので、使用しないことが推定されるブロックへの電源供給を停止することができるため、効果的に消費電力を低減することができる。また、ユーザの操作に応じてすぐに処理を開始することができるため、ユーザの利便性を高めることができる
【００８６】
本実施の形態では、ユーザデータベースを用いて、撮像部により撮像された顔画像に基づいてユーザを識別することができなかった場合には、その顔画像に基づいてユーザデータベースを更新するようにした。これにより、ユーザは、例えば顔画像を登録する作業や、顔画像をアカウントに関連づける作業を行う必要がないので、ユーザの利便性を高めることができる。
【００８７】
［変形例１］
上記実施の形態では、人感センサ３２および撮像部３３を画像処理装置１に内蔵したが、これに限定されるものではない。これに代えて、例えば、人感センサおよび撮像部を画像処理装置とは別に設け、その画像処理装置に接続してもよい。
【００８８】
［変形例２］
上記実施の形態では、動作モード選択処理Ａ３（図１０）において、例えば、スキャン回数ＣＳがプリント回数ＣＰと等しい場合に完全動作モードＭ５を選択したが、これに限定されるものではない。これに代えて、例えば、スキャン回数ＣＳとプリント回数ＣＰとの差が所定数以下の場合に、完全動作モードＭ５を選択してもよい。
【００８９】
［変形例３］
上記実施の形態では、ユーザ識別部４３は、撮像部３３により撮像された撮像画像に基づいて、操作しているユーザの顔画像ＰＦを取得し、この顔画像ＰＦに基づいて、ユーザを識別するようにした。例えば、撮像画像が２人のユーザの顔画像ＰＦ１，ＰＦ２を含む場合には、ユーザ識別部４３は、この２つの顔画像ＰＦ１，ＰＦ２に基づいて、２人のユーザをそれぞれ識別し、２つのユーザ識別子ＩＤ１，ＩＤ２を取得してもよい。この場合には、動作モード制御部４８は、ユーザ識別子ＩＤ１に対応する操作履歴、およびユーザ識別子ＩＤ２に対応する操作履歴の両方に基づいて、動作モードＭを設定してもよい。具体的には、例えば、ユーザ識別子ＩＤ１に対応する操作履歴において、スキャン回数ＣＳがプリント回数ＣＰよりも多く、ユーザ識別子ＩＤ２に対応する操作履歴において、スキャン回数ＣＳがプリント回数ＣＰよりも多い場合には、動作モード制御部４８は、動作モードＭをスキャンモードＭ３に設定することができる。また、例えば、ユーザ識別子ＩＤ１に対応する操作履歴において、スキャン回数ＣＳがプリント回数ＣＰよりも少なく、ユーザ識別子ＩＤ２に対応する操作履歴において、スキャン回数ＣＳがプリント回数ＣＰよりも少ない場合には、動作モード制御部４８は、動作モードＭをプリントモードＭ４に設定することができる。また、例えば、ユーザ識別子ＩＤ１に対応する操作履歴において、スキャン回数ＣＳがプリント回数ＣＰよりも多く、ユーザ識別子ＩＤ２に対応する操作履歴において、スキャン回数ＣＳがプリント回数ＣＰよりも少ない場合には、動作モード制御部４８は、動作モードＭを完全動作モードＭ５に設定することができる。このように、撮像画像が２人のユーザの顔画像ＰＦ１，ＰＦ２を含む場合には、操作履歴更新処理Ａ２を行わないようにしてもよい。なお、この例では、２人の場合について説明したが、例えば３人以上であってもよい。
【００９０】
以上、実施の形態および変形例を挙げて本技術を説明したが、本技術はこれらの実施の形態等には限定されず、種々の変形が可能である。
【００９１】
例えば、上記の実施の形態等では、電子写真方式により、記録媒体ＭＰに画像を形成したが、これに限定されるものではなく、どのような方式で画像を形成してもよい。また、上記の実施の形態等では、記録媒体ＭＰにカラー画像を形成したが、これに限定されるものではなく、モノクロ画像を形成してもよい。
【００９２】
また、例えば、上記の実施の形態等では、画像処理装置１は、図５に示したように、“コピー処理”、“スキャン処理”、“プリント処理”、“ＦＡＸ送信処理”、“ＦＡＸ受信処理”を行うようにしたが、これに限定されるものではなく、例えば、これらの処理のうちの一部を行うことができなくてもよいし、これ以外の処理を行うことができてもよい。
【００９３】
また、例えば、上記の実施の形態等では、本技術を多機能周辺装置に適用したが、これに限定されるものではなく、これに代えて、単機能のファクシミリ、コピー機、スキャナ、プリンタに適用してもよい。
【００９４】
また、例えば、上記の実施の形態等では、ユーザを識別するために顔画像ＰＦを用いたが、これに限定されるものではなく、例えば、指紋、静脈、網膜、虹彩、音声など、様々な生体情報を用いることができる。
【符号の説明】
【００９５】
１…画像処理装置、１０…画像読取部、２０…画像形成部、２１…媒体収容部、２２…ピックアップローラ、２３，２３Ｋ，２３Ｙ，２３Ｍ，２３Ｃ…感光ドラムユニット、２４，２４Ｋ，２４Ｙ，２４Ｍ，２４Ｃ…転写ローラ、２５…定着部、３１…操作パネル、３２…人感センサ、３３…撮像部、４１…ネットワーク通信部、４２…ＦＡＸ通信部、４３…ユーザ識別部、４４…ユーザデータベース、４５…操作履歴管理部、４６…履歴データベース、４７…制御部、４８…動作モード制御部、Ａ１…、Ａ２…、Ａ３…動作モード選択処理、ＣＰ…プリント回数、ＣＳ…スキャン回数、ＩＤ…ユーザ識別子、Ｍ１…スリープモード、Ｍ２…ユーザ接近モード、Ｍ３…スキャンモード、Ｍ４…プリントモード、Ｍ５…完全動作モード。
【図１】
2018201082.tif 000003
【図２】
2018201082.tif 000004
【図３】
2018201082.tif 000005
【図４】
2018201082.tif 000006
【図５】
2018201082.tif 000007
【図６Ａ】
2018201082.tif 000008
【図６Ｂ】
2018201082.tif 000009
【図７】
2018201082.tif 000010
【図８】
2018201082.tif 000011
【図９】
2018201082.tif 000012
【図１０】
2018201082.tif 000013